(57)【要約】【課題】セキュリティ対象の監視範囲に侵入した監視対象の撮像画像を一個の監視センタ装置にデータ収集することができるゾーンライティングシステムを提供する。【解決手段】ＬＥＤ照明で照明している所定の監視範囲に侵入した監視対象が超音波センサで検出され、この検出された監視対象がウェブカメラで撮像されてデータ送信部からデータ送信される。データ受信部でデータ受信された監視対象の撮像画像はデータ記録部に記録される。【選択図】図１
2012168834.tif 000002
【特許請求の範囲】
【請求項１】
所定形状の本体フレームと、
前記本体フレームに搭載されていて所定の監視範囲を照明するＬＥＤ(LIGHT EMITTING DIODE)照明と、
前記本体フレームに搭載されていて前記監視範囲に侵入した監視対象を検出する超音波センサと、
前記本体フレームに搭載されていて検出された前記監視対象を撮像するウェブカメラと、
前記本体フレームに搭載されていて前記監視対象の撮像画像をデータ送信するデータ送信部と、
を有するゾーンライティングユニット。
【請求項２】
前記監視範囲に警告音声を出力するスピーカユニットを、さらに有する請求項１に記載のゾーンライティングユニット。
【請求項３】
複数の監視範囲に個々に設置されている複数の請求項１または２に記載のゾーンライティングユニットと、
複数の前記ゾーンライティングユニットと通信ネットワークで接続されている監視センタ装置と、を有し、
前記監視センタ装置は、
前記監視対象の前記撮像画像をデータ受信するデータ受信部と、
データ受信された撮像画像を対応する監視範囲ごとに記録するデータ記録部と、
を有するゾーンライティングシステム。
【請求項４】
記録された前記撮像画像に対応して特定の前記ゾーンライティングユニットの前記ＬＥＤ照明の点灯状態を変更する点灯制御部を、さらに有する請求項３に記載のゾーンライティングシステム。
【請求項５】
複数の監視範囲に複数の請求項２に記載のゾーンライティングユニットが個々に設置されており、
前記監視センタ装置は、記録された前記撮像画像に対応して特定の前記ゾーンライティングユニットの前記スピーカユニットに前記警告音声を出力させる警告出力部を、さらに有する請求項３または４に記載のゾーンライティングシステム。
【発明の詳細な説明】
【技術分野】
【０００１】
本発明は、セキュリティ対象の所定範囲の監視に利用されるゾーンライティングユニットおよびゾーンライティングシステムに関する。
【背景技術】
【０００２】
現在、各種施設でセキュリティが問題とされている。そこで、セキュリティシステムとして、監視カメラなどが利用されている。現在、上述のようなセキュリティシステムとして各種の提案がある（特許文献１〜３）。
【先行技術文献】
【特許文献】
【０００３】
【特許文献１】特開平０４−２９１７００号公報
【特許文献２】特開平１１−２８３１３３号公報
【特許文献３】特開２００７−２２００１２号公報
【発明の概要】
【発明が解決しようとする課題】
【０００４】
しかし、従来のセキュリティシステムでは、セキュリティ対象の監視範囲に侵入した監視対象の撮像画像を一個の監視センタ装置にデータ収集するようなことが困難である。
【０００５】
本発明は上述のような課題に鑑みてなされたものであり、セキュリティ対象の監視範囲に侵入した監視対象の撮像画像を一個の監視センタ装置にデータ収集するようなことができるゾーンライティングユニットおよびゾーンライティングシステムを提供するものである。
【課題を解決するための手段】
【０００６】
本発明のゾーンライティングユニットは、所定形状の本体フレームと、本体フレームに搭載されていて所定の監視範囲を照明するＬＥＤ(LIGHT EMITTING DIODE)照明と、本体フレームに搭載されていて監視範囲に侵入した監視対象を検出する超音波センサと、本体フレームに搭載されていて検出された監視対象を撮像するウェブカメラと、本体フレームに搭載されていて監視対象の撮像画像をデータ送信するデータ送信部と、を有する。
【０００７】
従って、本発明のゾーンライティングユニットでは、ＬＥＤ照明で照明している所定の監視範囲に侵入した監視対象が超音波センサで検出され、この検出された監視対象がウェブカメラで撮像されてデータ送信部からデータ送信される。
【０００８】
本発明のゾーンライティングシステムは、複数の監視範囲に個々に設置されている複数の本発明のゾーンライティングユニットと、複数のゾーンライティングユニットと通信ネットワークで接続されている監視センタ装置と、を有し、監視センタ装置は、監視対象の撮像画像をデータ受信するデータ受信部と、データ受信された撮像画像を対応する監視範囲ごとに記録するデータ記録部と、を有する。
【０００９】
本発明のゾーンライティングシステムでは、ＬＥＤ照明で照明している所定の監視範囲に侵入した監視対象が超音波センサで検出され、この検出された監視対象がウェブカメラで撮像されてデータ送信部からデータ送信される。データ受信部でデータ受信された監視対象の撮像画像はデータ記録部に記録される。
【００１０】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１２】
本発明のゾーンライティングシステムでは、ＬＥＤ照明で照明している所定の監視範囲に侵入した監視対象が超音波センサで検出され、この検出された監視対象がウェブカメラで撮像されてデータ送信部からデータ送信される。データ受信部でデータ受信された監視対象の撮像画像はデータ記録部に記録される。このため、例えば、セキュリティ対象の監視範囲に侵入した監視対象の撮像画像を一個の監視センタ装置にデータ収集することができる。
【図面の簡単な説明】
【００１３】
【図１】本発明の実施の形態のゾーンライティングシステムの論理構造を示す模式図である。
【図２】ゾーンライティングユニットの外観を示す斜視図である。
【図３】ゾーンライティングユニットの外観を示す六面図である。
【図４】ゾーンライティングユニットの回路構造を示すブロック図である。
【図５】一変形例のゾーンライティングユニットの外観を示す斜視図である。
【図６】ゾーンライティングユニットの外観を示す五面図である。
【発明を実施するための形態】
【００１４】
本発明の実施の一形態を図面を参照して以下に説明する。ゾーンライティングシステム１０００は、図１に示すように、複数の監視範囲に個々に設置されている複数のゾーンライティングユニット１００と、複数のゾーンライティングユニット１００と通信ネットワーク２０１で接続されている監視センタ装置２００と、を有する。
【００１５】
この監視センタ装置２００は、実装されているコンピュータプログラムに対応して動作することにより、監視対象の撮像画像をデータ受信するデータ受信部と、データ受信された撮像画像を対応する監視範囲ごとに記録するデータ記録部と、を論理的に有する(図示せず)。
【００１６】
また、ゾーンライティングユニット１００は、図２および図３に示すように、所定の監視範囲を照明するＬＥＤ照明１１０と、監視範囲に侵入した監視対象を検出する超音波センサ１２０と、検出された監視対象を撮像するウェブカメラ１３０と、図４に示すように、監視対象の撮像画像をデータ送信するデータ送信部１４０と、を有する。
【００１７】
より詳細には、本実施の形態のゾーンライティングユニット１００は、扁平な小判型の本体フレーム１０１の前面中央に一個のウェブカメラ１３０が搭載されており、その周囲に四個の長方形のＬＥＤ照明１１０が配置されている。これら四個のＬＥＤ照明１１０の各々の側方には八個の超音波センサ１２０が二個ずつ配置されている。
【００１８】
また、本実施の形態のゾーンライティングユニット１００では、図４に示すように、超音波センサ１２０およびウェブカメラ１３０は、受信回路１２１、アンプ１２２、フィルタ１２３、判定回路１２４、に順番に接続されており、四個のゾーンライティングユニット１００の判定回路１２４が一個のデータ送信部１４０であるコントロール基板のＣＰＵ(CENTRAL PROCESSING UNIT)１４１に接続されている。このＣＰＵ１４１は接点１４２を介して通信ネットワーク２０１に接続されている。
【００１９】
また、データ送信部１４０であるコントロール基板には、ＡＣ(ALTERNATING CURRENT)１００Ｖの電源電圧が供給されており、これがＡＣ／ＤＣ(DIRECT CURRENT)コンバータ１４３に入力されている。このＡＣ／ＤＣコンバータ１４３は、１２Ｖの電圧を出力し、その一部がＤＣ／ＤＣコンバータ１４４で５Ｖの電圧に変換されている。
【００２０】
また、ゾーンライティングユニット１００には、監視範囲に警告音声を出力するスピーカユニット１５０も搭載されており、このスピーカユニット１５０に送信回路１５１が接続されている。
【００２１】
さらに、監視センタ装置２００は、前述のように実装されているコンピュータプログラムに対応して動作することにより、記録された撮像画像に対応して特定のゾーンライティングユニット１００のＬＥＤ照明１１０の点灯状態を変更する点灯制御部と、記録された撮像画像に対応して特定のゾーンライティングユニット１００のスピーカユニットに警告音声を出力させる警告出力部とを、さらに有する(図示せず)。
【００２２】
上述のような構成において、本実施の形態のゾーンライティングシステム１０００では、図１に示すように、複数の所定の監視範囲ごとに複数のゾーンライティングユニット１００が個々に設置される。
【００２３】
これら複数のゾーンライティングユニット１００は、常時は所定の監視範囲をＬＥＤ照明１１０で照明する。その照度は監視範囲を照明する必要最低限に設定されている。このような状態で監視範囲に人物などの監視対象が侵入すると、これをゾーンライティングユニット１００の超音波センサ１２０が検出する。
【００２４】
すると、その検出された監視対象がウェブカメラ１３０で撮像され、その撮像画像が通信ネットワーク２０１から監視センタ装置２００に送信される。この監視センタ装置２００では、例えば、所定のアルゴリズムにより侵入した監視対象を不審な人物と判断し、対応するゾーンライティングユニット１００のＬＥＤ照明１１０の照度を増強させるとともにスピーカユニット１５０から警告音声を出力させる。
【００２５】
従って、本実施の形態のゾーンライティングシステム１０００では、上述のように監視範囲に不審な人物などが侵入した場合、高輝度に照明されるとともに警告音声が出力されることになり、その人物を監視範囲から退散させることができる。
【００２６】
しかも、セキュリティ対象の監視範囲に侵入した監視対象の撮像画像が一個の監視センタ装置２００にデータ収集されるので、不審な人物などの撮像画像を一個の監視センタ装置２００にデータ収集することができる。
【００２７】
特に、ゾーンライティングユニット１００が監視範囲に侵入した監視対象を検出すると、スピーカユニット１５０から監視範囲に警告音声が出力されるとともに、ＬＥＤ照明１１０の点灯状態が高輝度に変更されるので、監視対象を良好に威嚇して監視範囲から退散させることができる。
【００２８】
また、上述のようにゾーンライティングユニット１００が監視範囲に侵入した監視対象を検出すると、ＬＥＤ照明１１０の点灯状態が高輝度に変更されるので、監視対象をウェブカメラ１３０で良好に撮像することができる。
【００２９】
さらに、ＬＥＤ照明１１０は発熱が微少なので、ウェブカメラ１３０や超音波センサ１２０などを一体に集約してゾーンライティングユニット１００の全体を小型に形成することができる。
【００３０】
なお、本発明は本実施の形態に限定されるものではなく、その要旨を逸脱しない範囲で各種の変形を許容する。例えば、上記形態ではゾーンライティングユニット１００は、扁平な小判型の本体フレーム１０１の前面中央に一個のウェブカメラ１３０が搭載されており、その周囲に四個の長方形のＬＥＤ照明１１０と八個の超音波センサ１２０とが配置されている構造を例示した。
【００３１】
しかし、このようなゾーンライティングユニット３００として、図５および図６に示すように、円錐台状の反射鏡３０１の手前に円形のＬＥＤ照明３１０が配置されており、反射鏡３０１の前面開口の中央にウェブカメラ３２０が配置されているとともに側方に超音波センサ３３０が配置されている構造なども実施可能である。
【符号の説明】
【００３２】
１００    ゾーンライティングユニット
１０１    本体フレーム
１１０    ＬＥＤ照明
１２０    超音波センサ
１２１    受信回路
１２２    アンプ
１２３    フィルタ
１２４    判定回路
１３０    ウェブカメラ
１４０    データ送信部
１４１    ＣＰＵ
１４２    接点
１４３    コンバータ
１４４    コンバータ
１５０    スピーカユニット
１５１    送信回路
２００    監視センタ装置
２０１    通信ネットワーク
３００    ゾーンライティングユニット
３０１    反射鏡
３１０    ＬＥＤ照明
３２０    ウェブカメラ
３３０    超音波センサ
１０００    ゾーンライティングシステム
【図１】
2012168834.tif 000003
【図２】
2012168834.tif 000004
【図３】
2012168834.tif 000005
【図４】
2012168834.tif 000006
【図５】
2012168834.tif 000007
【図６】
2012168834.tif 000008